(57)【要約】【課題】流量を安定化することができる定流量弁を提供する。【解決手段】定流量弁１は、一次側流路である給水路８２の圧力に応じて流路面積を変化させることにより二次側流路である給水路８３および８６における流量を一定に調整する。ピストン２は、給水路８２からの圧力によってシリンダー３に押し込まれる。絞り部４ａおよび４ｂは、ピストン２が押し込まれることによって流路面積が狭くなる。絞り部４ａおよび４ｂは、シリンダー３の周側部において、給水路８３および８６を臨む周上の一部に形成された開口部３２ａおよび３２ｂを有する。【選択図】図３
2017166561.tif 000002
【特許請求の範囲】
【請求項１】
一次側流路の圧力に応じて流路面積を変化させることにより二次側流路における流量を一定に調整する定流量弁において、
シリンダーと、
一次側流路からの圧力によって前記シリンダーに押し込まれるピストンと、
前記ピストンが押し込まれることによって流路面積が狭くなる絞り部と、を備え、
前記絞り部は、前記シリンダーの周側部において、前記二次側流路を臨む周上の一部に形成された開口部を有することを特徴とする定流量弁。
【請求項２】
前記開口部は、前記ピストンが押し込まれる方向に幅狭となる形状であることを特徴とする請求項１に記載の定流量弁。
【請求項３】
複数の二次側流路に対応して、前記絞り部が複数設けられていることを特徴とする請求項１または２に記載の定流量弁。
【請求項４】
前記絞り部のうちの１つが有する前記開口部の面積が、他の１つが有する前記開口部の面積と異なることを特徴とする請求項３に記載の定流量弁。
【発明の詳細な説明】
【技術分野】
【０００１】
本発明は、定流量弁に関する。
【背景技術】
【０００２】
例えば、特許文献１には、ばねによって付勢された弁体を筒状のシリンダー内に収容し、弁体とともに移動する筒によって、シリンダーの周上に設けられた開口部を部分的に塞ぐことによって流量を調整する定流量弁が開示されている。定流量弁は、シリンダーを囲むように円環状の流路が形成され、該円環状の流路に二次側流路が連結されている。
【先行技術文献】
【特許文献】
【０００３】
【特許文献１】特開２０１１−１７９５７５号公報
【発明の概要】
【発明が解決しようとする課題】
【０００４】
しかしながら、特許文献１に記載の定流量弁は、シリンダーから円環状の流路に対して放射状に水が流れ出た後、二次側流路に集束するため、二次側流路の入口部分での流線が複雑となり、流量の安定性に影響を及ぼす蓋然性があった。
【０００５】
本発明は、斯かる事情に鑑みてなされたものであり、その目的とするところは、流量を安定化することができる定流量弁を提供することにある。
【課題を解決するための手段】
【０００６】
本発明に係る定流量弁は、一次側流路の圧力に応じて流路面積を変化させることにより二次側流路における流量を一定に調整する定流量弁において、シリンダーと、一次側流路からの圧力によって前記シリンダーに押し込まれるピストンと、前記ピストンが押し込まれることによって流路面積が狭くなる絞り部と、を備え、前記絞り部は、前記シリンダーの周側部において、前記二次側流路を臨む周上の一部に形成された開口部を有することを特徴とする。
【０００７】
本発明にあっては、定流量弁は、一次側流路の圧力に応じて流路面積を変化させることにより二次側流路における流量を一定に調整する。ピストンは、一次側流路からの圧力によってシリンダーに押し込まれる。絞り部は、ピストンが押し込まれることによって流路面積が狭くなる。絞り部は、シリンダーの周側部において、二次側流路を臨む周上の一部に形成された開口部を有する。これにより、定流量弁は、絞り部における開口部から直接的に二次側流路へ通流するので、流線が複雑にならず、流量を安定化することができる。
【発明の効果】
【０００８】
本発明によれば、定流量弁は、絞り部における開口部から直接的に二次側流路へ通流するので、流線が複雑にならず、流量を安定化することができる。
【図面の簡単な説明】
【０００９】
【図１】実施形態１に係る便器洗浄装置を用いる便器を示す断面図である。
【図２】実施形態１に係る便器洗浄装置の構成を示すブロックである。
【図３】実施形態１に係る定流量弁の縦断面図である。
【図４】図３に示すＡ−Ａ線による断面図である。
【図５】調整孔の別例の構成を説明するための模式図である。
【図６】定流量弁の動作状態を示す縦断面図である。
【図７】図６に示すＢ−Ｂ線による断面図である。
【図８】実施形態２に係る定流量弁の縦断面図である。
【図９】図８に示すＣ−Ｃ線による断面図である。
【図１０】定流量弁の動作状態を示す縦断面図である。
【図１１】図１０に示すＤ−Ｄ線による断面図である。
【発明を実施するための形態】
【００１０】
以下、本発明を好適な実施形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１１】
（実施形態１）
図１は、実施形態１に係る便器洗浄装置１００を用いる便器１１０を示す断面図である。便器１１０は、便鉢部１１１、リム通水路１１２、リム吐水具１１３、便器排水路１１４、およびジェット吐水具１１５を有している。
【００１２】
リム通水路１１２は、便鉢部１１１の上端開口部の内周縁に棚状に設けられている。リム吐水具１１３は、便鉢部１１１の前端Ｆ側から見て便鉢部１１１の左側後方に配置されている。リム吐水具１１３は、下流側給水路８７に連結されている。リム吐水具１１３から吐水された洗浄水は、リム通水路１１２に沿って便鉢部１１１の上端周縁を一方向に旋回しつつ、便鉢部１１１内を鉢面１２１に沿って流下する。このため、リム吐水具１１３から洗浄水が吐水されると、便鉢部１１１内の中心部に向かって旋回流を形成しつつ、便鉢部１１１内の洗浄水の水位が上昇する。便器１１０が小便器である場合も同様に、便鉢部の鉢面に沿って水が流れるものである。
【００１３】
便器排水路１１４は便鉢部１１１の下流側に連続して設けられている。便器排水路１１４は、便鉢部１１１の下部から後方かつ斜め上方に向けて延びる上昇流路と、この上昇流路の上端部から屈曲して垂直下方に向けて延びる下降流路とから構成されている。
【００１４】
ジェット吐水具１１５は便器排水路１１４の上昇流路の上流下端部に取り付けられている。ジェット吐水具１１５は下流側給水路８４に連結されている。ジェット吐水具１１５から吐水された洗浄水は、便器排水路１１４の上昇流路を充満しつつ、便器排水路１１４の下流側に流れる。
【００１５】
図２は、実施形態１に係る便器洗浄装置１００の構成を示すブロックである。便器洗浄装置１００は、減圧弁９１、定流量弁１、逆止弁９２、開閉弁９３および９４を備える。減圧弁９１は、給水源側の止水栓１０１に至る上流側給水路８１の下流端部に設けられる。上流側給水路８１は、異物除去のためのストレーナ１０２、止水栓１０１に接続するためのフレキシブルホース１０３を備える。減圧弁９１は、下流側の給水路８２における水圧を上流側給水路８１より低い値に維持する。
【００１６】
給水路８２は定流量弁１に接続される。定流量弁１は、一次側流路として給水路８２に接続され、二次側流路として給水路８３および８６に接続される。定流量弁１は、一次側流路である給水路８２の水圧変化に対して、二次側流路である給水路８３および８６の流量を一定に調整するように機能する。逆止弁９２は、給水路８３の中途部に設けられており、定流量弁１側から開閉弁９３側への通流を許容するが、開閉弁９３側から定流量弁１側への通流は阻止する。開閉弁９３の下流側は、下流側給水路８４によりジェット吐水具１１５に連結されている。開閉弁９３が開状態となることで、上流側給水路８１、給水路８２、給水路８３および下流側給水路８４を通って、水が流れ、ジェット吐水具１１５から吐き出される。
【００１７】
蓄圧器９５は、給排水路８５により給水路８３に連結されている。蓄圧器９５は、開閉弁９３が開状態となったときに、蓄圧状態で貯留している水を給排水路８５を通して給水路８３へ排出し、給水路８３および下流側給水路８４を通ってジェット吐水具１１５から吐き出される流量を増大させる。蓄圧器９５は、開閉弁９３が閉状態となったときに、給水路８２から給排水路８５を通して供給された水を蓄圧状態で貯留する。
【００１８】
一方、定流量弁１の二次側流路である給水路８６は、開閉弁９４に連結されている。開閉弁９４の下流側は、下流側給水路８７によりリム吐水具１１３に連結されている。開閉弁９４が開状態となることで、上流側給水路８１、給水路８２、給水路８６および下流側給水路８７を通って、水が流れ、リム吐水具１１３から吐き出される。
【００１９】
図３は実施形態１に係る定流量弁１の縦断面図であり、図４は図３に示すＡ−Ａ線による断面図である。定流量弁１は、ピストン２およびシリンダー３を有する。ピストン２は筒状であり、給水路８２側の一端が開口し、給水路８２からの水が筒内部に流れ込む。ピストン２は、シリンダー３との間に設けられたコイルばね１１によって給水路８２方向へ付勢されている。ピストン２は、他端に底部２１を有する。底部２１は、中央部に表裏を貫通する小孔２１ａを有し、シリンダー３に嵌め合わされている。底部２１およびシリンダー３は圧力調整室３１を形成する。ピストン２は、周側部において、底部２１から中途部にかけて、開口部２２ａおよび２２ｂを有する。開口部２２ａおよび２２ｂは、ピストン２の周側部における周上の一部に設けられている。開口部２２ａは、給水路８３に臨み、給水路８３側から見て矩形状をなす。開口部２２ｂは、給水路８６に臨み、給水路８６側から見て矩形状をなす。
【００２０】
シリンダー３は筒状であり、２次側流路を形成するハウジング１３内に固定されている。シリンダー３は、内部にピストン２の底部２１とで囲む圧力調整室３１を有し、周側部の中途部において、ピストン２の開口部２２ａおよび２２ｂに対応する位置に開口部３２ａおよび３２ｂが形成されている。開口部３２ａおよび３２ｂは、シリンダー３の周側部における周上の一部に設けられている。開口部３２ａは、給水路８３に臨み、給水路８３側から見て台形状をなし、ピストン２が押し込まれる方向に幅が狭くなる形状となっている。開口部３２ｂは、給水路８６に臨み、給水路８６側から見て台形状をなし、ピストン２が押し込まれる方向に幅が狭くなる形状となっている。開口部２２ａの周縁部におけるピストン２の外周面は、開口部３２ａの周縁部におけるシリンダー３の内周面に嵌め合わされている。開口部２２ｂの周縁部におけるピストン２の外周面は、開口部３２ｂの周縁部におけるシリンダー３の内周面に嵌め合わされている。開口部２２ａおよび３２ａにより、給水路８３側への流路の絞り部４ａが構成されている。また、開口部２２ｂおよび３２ｂにより、給水路８６側への流路の絞り部４ｂが構成されている。開口部３２ａの台形は、開口部２２ａの矩形よりも小さい形状としてある。このため、絞り部４ａの最も大きい流路面積は、開口部３２ａの台形形状の面積となる。また、開口部３２ｂの台形は、開口部２２ｂの矩形よりも小さい形状としてある。このため、絞り部４ｂの最も大きい流路面積は、開口部３２ｂの台形形状の面積となる。
【００２１】
絞り部４ａは、開口部２２ａと３２ａとが重なった状態で最も大きい流路面積となり、開口部同士の位置がずれることで流路面積が小さくなる。絞り部４ｂも同様に、開口部２２ｂと３２ｂとが重なった状態で最も大きい流路面積となり、開口部同士の位置がずれることで流路面積が小さくなる。絞り部４ａおよび４ｂは、ピストン２がコイルばね１１によって付勢されて給水路８２側に寄った位置にあるとき、開口部同士が重なり、流路面積が最も大きくなる。絞り部４ａおよび４ｂは、ピストン２が給水路８２からの水圧によってシリンダー３内に押し込まれると、開口部同士の位置がずれるため、流路面積が小さくなる。絞り部４ａおよび４ｂはそれぞれ給水路８３および８６を臨んでおり、開口の大きさが給水路８３および給水路８６の流路断面よりも小さくしてある。
【００２２】
圧力調整室３１は、シリンダー３の周側部に、内外に貫通する調整孔３１ａおよび３１ｂを有する。調整孔３１ａは、ピストン２の移動方向を高さ方向とし、ピストン２がシリンダー３内に押し込まれる方向に幅が狭くなる台形状をなす。調整孔３１ａは、ハウジング１３とシリンダー３との間に形成された流路１４に貫通し、流路１４を介して圧力調整室３１を給水路８３および８６に連通させる。調整孔３１ｂは、小孔であり、調整孔３１ａと同様に、ハウジング１３とシリンダー３との間に形成された流路１４に貫通し、流路１４を介して圧力調整室３１を給水路８３および８６に連通させる。調整孔３１ａは、ピストン２がシリンダー３内に押し込まれることで、ピストン２の周側部によって塞がれる。一方、調整孔３１ｂは、ピストン２がシリンダー３内で停止位置まで押し込まれた状態でもピストン２の周側部によって塞がれない位置に設けられている。
【００２３】
図５は、調整孔３１ａの別例の構成を説明するための模式図である。図５に示す調整孔３１ａは、ピストン２の移動方向に沿って、複数の小孔として設けられたものであり、ピストン２がシリンダー３内に押し込まれる方向に小孔の径が小さくなる。
【００２４】
次に実施形態１に係る定流量弁１の動作について説明する。図６は定流量弁１の動作状態を示す縦断面図であり、図７は図６に示すＢ−Ｂ線による断面図である。定流量弁１は、二次側の開閉弁９３および９４が閉状態である場合には、給水路８２、８３および８６内の水は静止状態となっており、図３に示すように、ピストン２がコイルばね１１に付勢されて、給水路８２側に寄った位置で静止している。定流量弁１は、二次側の開閉弁９３および９４のいずれか一方が開状態になると、給水路８２側からの水流によってピストン２の底部２１に水圧を受け、コイルばね１１の付勢力に抗してピストン２がシリンダー３内に押し込まれる。
【００２５】
図６および図７に示すピストン２は、給水路８２側から最大定格水圧以上の水圧を受け、給水路８２側の端部の外周面に設けた段差が、シリンダー３の内周面に設けた段差に接触して停止位置に到達した状態にある。ピストン２は、最大定格水圧を受けた場合に、停止位置まで移動し、絞り部４ａの流路面積が最小となって、給水路８３および８６における流量が所定値に調整される。絞り部４ｂは閉じた状態となっている。絞り部４ａは、給水路８３側に臨むが、流路１４を通って給水路８６側にも水が流れる。定流量弁１は、例えば減圧弁９１の故障によって最大定格水圧を超える水圧を給水路８２側から受けた場合、絞り部４ａで流路面積を最小の状態に維持しているため、水圧に応じた流量の水を給水路８３および８６に流すことになる。このとき、開閉弁９４を開状態に制御すれば、リム吐水具１１３から便鉢部１１１の鉢面１２１に水が流れ続け、故障であることをユーザに知らせることができる。
【００２６】
定流量弁１は、開閉弁９３または９４が閉状態から開状態に変化し、定格範囲内での水圧を給水路８２側から受けた場合、ピストン２が給水路８２側に寄った位置からシリンダー３内に押し込まれるように移動する。給水路８２から定流量弁１に流れ込む水は、ピストン２の筒状内部から絞り部４ａまたは４ｂを通って、給水路８３または８６へ流れる。絞り部４ａおよび４ｂの開口の大きさが給水路８３および給水路８６の流路断面よりも小さいので、各絞り部から流出する水の流れが乱流となることが抑制される。また、給水路８２から定流量弁１に流れ込む水は、ピストン２の底部２１に設けられた小孔２１ａを通って、圧力調整室３１にも流れ込む。圧力調整室３１に流れ込んだ水は、調整孔３１ａおよび３１ｂを通って流路１４へ流れ出る。
【００２７】
ピストン２がシリンダー３内へ押し込まれると、調整孔３１ａはピストン２の周側部によって塞がれていくので、圧力調整室３１の圧力が上昇する。ピストン２は、圧力調整室３１の圧力上昇によって、シリンダー３から押し出される方向の水圧を底部２１に受けるので、過度にシリンダー３内に押し込まれることなく、動きが安定する。圧力調整室３１は、ピストン２の底部２１に与える水圧によって、給水路８２から受ける水圧およびコイルばね１１の弾性に基づいて生じるピストン２の振動を抑制する。定流量弁１は、ピストン２の振動が抑制されることによって、流量を安定化することができる。
【００２８】
調整孔３１ａは、ピストン２の移動方向を高さ方向とする台形状であり、ピストン２がシリンダー３内に押し込まれる方向に幅が狭くなる。圧力調整室３１は、ピストン２が押し込まれるに従って、調整孔３１ａの幅が狭くなり、ピストン２の単位移動あたりの圧力調整量が小さくなるので、微細な調整が可能となる。一方、調整孔３１ｂは、ピストン２がシリンダー３内で停止位置まで押し込まれた状態でもピストン２の周側部によって塞がれない位置に設けられており、小孔２１ａを通って圧力調整室３１に流れ込む水の逃がし孔となっている。
【００２９】
図５に示す調整孔３１ａの構成によれば、調整孔３１ａは、ピストン２の移動方向に沿って、複数の小孔として設けられている。これにより、ピストン２の底部２１が小孔部分を通過している際には圧力調整室３１の圧力が変化し、隣り合う小孔間を通過している際には圧力調整室３１の圧力が一定となる。圧力調整室３１は、ピストン２にかかる水圧の大きな変動に対して、小孔間では圧力が変化しないので、ピストン２の動きを早めることができ、より素早く流量を安定化させることができる。
【００３０】
絞り部４ａは、開口部２２ａおよび３２ａが給水路８３を臨むように設けられている。給水路８２からピストン２内に流れ込んだ水は、絞り部４ａから直接的に給水路８３へ流れ出るので、流線が複雑にはならず、流量を安定化することができる。同様に、絞り部４ｂは、開口部２２ｂおよび３２ｂが給水路８３を臨むように設けられている。給水路８２からピストン２内に流れ込んだ水は、絞り部４ｂから直接的に給水路８６へ流れ出るので、流線が複雑にはならず、流量を安定化することができる。
【００３１】
また、絞り部４ａにおいて、開口部３２ａは台形状であり、ピストン２がシリンダー３内に押し込まれる方向に幅が狭くなる。給水路８２側の水圧が高いときには、ピストン２がシリンダー３内により大きく押し込まれる状態となる。開口部３２ａは、ピストン２がシリンダー３内に押し込まれる方向に幅が狭くなる形状とすることによって、ピストン２の移動に対する流量変化の増加を抑制することができる。同様に、絞り部４ｂにおいて、開口部３２ｂは台形状であり、ピストン２がシリンダー３内に押し込まれる方向に幅が狭くなる。給水路８２側の水圧が高いときには、ピストン２がシリンダー３内により大きく押し込まれる状態となる。開口部３２ｂは、ピストン２がシリンダー３内に押し込まれる方向に幅が狭くなる形状とすることによって、ピストン２の移動に対する流量変化の増加を抑制することができる。
【００３２】
定流量弁１は、ピストン２およびシリンダー３に絞り部４ａおよび４ｂを設けることによって、二次側流路である給水路８３および８６の２流路へ水を流すことができ、それぞれ流量を一定に調整する。定流量弁１は、複数の絞り部によって流路を分岐する構造を有しているため、定流量弁の下流側で流路を分岐する構成に比べて、定流量弁および分岐構造をコンパクト化することができる。図３に示すシリンダー３の開口部３２ａおよび３２ｂは、開口面積がほぼ同じであるが、開口面積を異なるようにすれば、給水路８３側へ水を流す場合の流量と、給水路８６側へ水を流す場合の流量を変えることができる。
【００３３】
次に、実施形態１に係る定流量弁１の特徴を説明する。
本発明の実施形態１に係る定流量弁１は、一次側流路である給水路８２の圧力に応じて流路面積を変化させることにより二次側流路である給水路８３および８６における流量を一定に調整する。ピストン２は、給水路８２からの圧力によってシリンダー３に押し込まれる。絞り部４ａおよび４ｂは、ピストン２が押し込まれることによって流路面積が狭くなる。絞り部４ａおよび４ｂは、シリンダー３の周側部において、給水路８３および８６を臨む周上の一部に形成された開口部３２ａおよび３２ｂを有する。これにより、定流量弁１は、絞り部４ａおよび４ｂにおける開口部３２ａおよび３２ｂから直接的に給水路８３および８６へ通流するので、流線が複雑にならず、流量を安定化することができる。
【００３４】
また、定流量弁１において、開口部３２ａおよび３２ｂは、ピストン２が押し込まれる方向に幅狭となる形状となっている。これにより、定流量弁１は、給水路８２側の水圧が高く、ピストン２がシリンダー３内により大きく押し込まれた場合に、ピストン２の移動に対する流量変化の増加を抑制することができる。
【００３５】
また、定流量弁１は、複数の二次側流路である給水路８３および８６に対応して、複数の絞り部４ａおよび４ｂが設けられているので、各給水路へ水を流すことができ、それぞれ流量を一定に調整することができる。
【００３６】
また、定流量弁１は、絞り部４ａにおける開口部３２ａの開口面積と、絞り部４ｂにおける開口部３２ｂの開口面積とを異なるようにすることで、給水路８３の流量と給水路８６の流量とが異なるようにすることができる。
【００３７】
（実施形態２）
図８は実施形態２に係る定流量弁１の縦断面図であり、図９は図８に示すＣ−Ｃ線による断面図である。実施形態２に係る定流量弁１は、圧力調整室３１を仕切る仕切壁３１ｃを有する。仕切壁３１ｃは、シリンダー３の軸方向に延びる板状であり、圧力調整室３１を給水路８３側の分室３１ｄと給水路８６側の分室３１ｄとに仕切る。各分室３１ｄは、給水路８３および給水路８６を臨む位置に調整孔３１ａおよび３１ｂを有する。尚、実施形態１と同様に、調整孔３１ａは、ピストン２の移動方向を高さ方向とし、ピストン２がシリンダー３内に押し込まれる方向に幅が狭くなる台形状をなす。調整孔３１ａは、ピストン２がシリンダー３内に押し込まれることで、ピストン２の周側部によって塞がれる。また、調整孔３１ｂは、小孔であり、ピストン２がシリンダー３内で停止位置まで押し込まれた状態でもピストン２の周側部によって塞がれない位置に設けられている。
【００３８】
ピストン２の底部２１は、圧力調整室３１の各分室３１ｄに嵌め合わされるように２分割されており、各分割された底部２１に小孔２１ａが設けられている。ピストン２の底部２１は、ピストン２内部に向かって軸方向に延びる仕切壁２１ｃを有する。仕切壁２１ｃは、圧力調整室３１の仕切壁３１ｃが挿入される凹状に穿ったスリットを有する。仕切壁２１ｃは、ピストン２の開口部２２ａおよび２２ｂにおける給水路８２側の縁部まで延びている。
【００３９】
次に実施形態２に係る定流量弁１の動作について説明する。図１０は定流量弁１の動作状態を示す縦断面図であり、図１１は図１０に示すＤ−Ｄ線による断面図である。定流量弁１は、二次側の開閉弁９３および９４が閉状態である場合には、給水路８２、８３および８６内の水は静止状態となっており、図８に示すように、ピストン２がコイルばね１１に付勢されて、給水路８２側に寄った位置で静止している。定流量弁１は、二次側の開閉弁９３および９４のいずれか一方が開状態になると、給水路８２側からの水流によってピストン２の底部２１に水圧を受け、コイルばね１１の付勢力に抗してピストン２がシリンダー３内に押し込まれる。
【００４０】
図１０および図１１に示すピストン２は、給水路８２側から最大定格水圧以上の水圧を受け、給水路８２側の端部の外周面に設けた段差が、シリンダー３の内周面に設けた段差に接触して停止位置に到達した状態にある。ピストン２は、最大定格水圧を受けた場合に、停止位置まで移動し、絞り部４ａの流路面積が最小となって、給水路８３および８６における流量が所定値に調整される。絞り部４ｂは閉じた状態となっている。絞り部４ａは、給水路８３側に臨むが、流路１４を通って給水路８６側にも水が流れる。定流量弁１は、例えば減圧弁９１の故障によって最大定格水圧を超える水圧を給水路８２側から受けた場合、絞り部４ａで流路面積を最小の状態に維持しているため、水圧に応じた流量の水を給水路８３および８６に流すことになる。このとき、開閉弁９４を開状態に制御すれば、リム吐水具１１３から便鉢部１１１の鉢面１２１に水が流れ続け、故障であることをユーザに知らせることができる。
【００４１】
定流量弁１は、開閉弁９３または９４が閉状態から開状態に変化し、定格範囲内での水圧を給水路８２側から受けた場合、ピストン２が給水路８２側に寄った位置からシリンダー３内に押し込まれるように移動する。給水路８２から定流量弁１に流れ込む水は、ピストン２の筒状内部から絞り部４ａまたは４ｂを通って、給水路８３または８６へ流れる。絞り部４ａおよび４ｂの開口の大きさが給水路８３および給水路８６の流路断面よりも小さいので、各絞り部から流出する水の流れが乱流となることが抑制される。また、給水路８２から定流量弁１に流れ込む水は、ピストン２の底部２１に設けられた小孔２１ａを通って、圧力調整室３１にも流れ込む。給水路８３側へ水が流れる場合には、給水路８３側の小孔２１ａを通って、給水路８３側の分室３１ｄに水が流れ込み、給水路８３側の調整孔３１ａおよび３１ｂを通って、給水路８３へ流れ出る。また、給水路８６側へ水が流れる場合には、給水路８６側の小孔２１ａを通って、給水路８６側の分室３１ｄに水が流れ込み、給水路８６側の調整孔３１ａおよび３１ｂを通って、給水路８６へ流れ出る。
【００４２】
ピストン２がシリンダー３内へ押し込まれると、調整孔３１ａはピストン２の周側部によって塞がれていくので、圧力調整室３１の圧力が上昇する。ピストン２は、圧力調整室３１の圧力上昇によって、シリンダー３から押し出される方向の水圧を底部２１に受けるので、過度にシリンダー３内に押し込まれることなく、動きが安定する。圧力調整室３１は、ピストン２の底部２１に与える水圧によって、給水路８２から受ける水圧およびコイルばね１１の弾性に基づいて生じるピストン２の振動を抑制する。定流量弁１は、ピストン２の振動が抑制されることによって、流量を安定化することができる。
【００４３】
定流量弁１は、給水路８３側に設ける調整孔３１ａと、給水路８６側に設ける調整孔３１ａとを異なる形状および大きさとすることによって、給水路８３および給水路８６での流量について独立した制御を行うことができる。定流量弁１は、給水路８３および給水路８６について、流量を変えることや、ピストン２の移動速度を変えることで流量の変化量を変えることができる。例えば、調整孔３１ａは、台形状とし、その幅および高さを異なるものとすることができる。また、図５に示すように、調整孔３１ａは、ピストン２の移動方向に沿って複数の小孔を設ける構成としてもよく、小孔の数、大きさ、間隔等を異なるものとしてもよい。
【００４４】
定流量弁１は、ピストン２およびシリンダー３に絞り部４ａおよび４ｂを設けることによって、二次側流路である給水路８３および８６の２流路へ水を流すことができ、それぞれ流量を一定に調整する。定流量弁１は、複数の絞り部によって流路を分岐する構造を有しているため、定流量弁の下流側で流路を分岐する構成に比べて、定流量弁および分岐構造をコンパクト化することができる。図８に示すシリンダー３の開口部３２ａおよび３２ｂは、開口面積がほぼ同じであるが、開口面積を異なるようにすれば、給水路８３側へ水を流す場合の流量と、給水路８６側へ水を流す場合の流量を変えることができる。
【００４５】
本発明の実施形態２に係る定流量弁１は、圧力調整室３１を仕切る仕切壁３１ｃを有する。圧力調整室３１は、仕切壁３１ｃによって仕切られた各部分である分室３１ｄのそれぞれに調整孔３１ａおよび３１ｂが形成されている。圧力調整室３１の各分室３１ｄは、調整孔３１ａおよび３１ｂによって、異なる二次側流路である給水路８３および８６に連通している。定流量弁１は、調整孔３１ａおよび３１ｂを異なる形状および大きさとすることによって、給水路８３および給水路８６での流量について独立した制御を行うことができる。
【００４６】
以上、本発明の実施形態をもとに説明した。これらの実施形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４７】
１  定流量弁、  ２  ピストン、  ３  シリンダー、  ３２ａ，３２ｂ  開口部、
４ａ，４ｂ  絞り部、  ８２  給水路（一次側流路）、
８３，８６  給水路（二次側流路）。
【図１】
2017166561.tif 000003
【図２】
2017166561.tif 000004
【図３】
2017166561.tif 000005
【図４】
2017166561.tif 000006
【図５】
2017166561.tif 000007
【図６】
2017166561.tif 000008
【図７】
2017166561.tif 000009
【図８】
2017166561.tif 000010
【図９】
2017166561.tif 000011
【図１０】
2017166561.tif 000012
【図１１】
2017166561.tif 000013